(57)【要約】【課題】直流電界やイオン流の流速密度の強度や方向を、簡便に精度よく計測して出力し、利用者がそれを容易に把握可能とするために、簡便性、速報性、精度、非侵襲性に優れ、空間分解能に優れた検知出力装置を提供する。【解決手段】検知対象の強度や方向を表示するための検知出力装置１は、略長方形の平板電極である上部電極２ａ及び下部電極２ｂと、この上部電極２ａ及び下部電極２ｂに誘起された電荷により生じる直流電流を検出する仮想接地型電流検出器３と、検出した直流電流の電流値を時間積分する積分器４と、検知対象の強度に応じて発光する個数が変化する４つのＬＥＤ５と、仮想接地型電流検出器３、積分部４、及びＬＥＤ５を駆動させるための電池６とを備えている。【選択図】図１
2018115882.tif 000002
【特許請求の範囲】
【請求項１】
空間中の不可視な検知対象を検知し、検知した結果を出力する平板状の検知出力装置であって、
略平行に配設された平板状の２つの電極と、
前記２つの電極の間に配設され、前記２つの電極によって前記検知対象が検知された際に生じる電流を検出する仮想接地型電流検出器と、
前記２つの電極の間に配設され、前記電流に応じた出力を行う出力手段と、
前記２つの電極の間に配設され、前記発光装置駆動回路および前記出力手段に電力を供給する電源と、を備え、
前記仮想接地型電流検出器は、前記２つの電極の間に生じる電流の時間積分を行う積分回路を備えている、
ことを特徴とする検知出力装置。
【請求項２】
前記積分回路は、オペアンプ、抵抗、及びコンデンサにより構成されているアナログ積分回路である、
ことを特徴とする請求項１に記載の検知出力装置。
【請求項３】
空間中の不可視な検知対象を検知し、検知した結果を出力する平板状の検知出力装置であって、
略平行に配設された平板状の２つの電極と、
前記２つの電極の間に配設され、前記２つの電極によって前記検知対象が検知された際に生じる電流を検出する仮想接地型電流検出器と、
前記２つの電極の間に配設され、前記電流に応じた出力を行う出力手段と、
前記２つの電極の間に配設され、前記仮想接地型電流検出器および前記出力手段に電力を供給する電源と、を備え、
前記仮想接地型電流検出器は、前記検知対象を検知するための所定の動作により生じる前記検知対象の変化を検出可能である、
ことを特徴とする検知出力装置。
【請求項４】
前記仮想接地型電流検出器は、前記電流の正負両極性に応答する両極性アンプ及びバイアス回路を備えている、
ことを特徴とする請求項１ないし３のいずれか１項に記載の検知出力装置。
【請求項５】
前記検知対象は、電界であり、
前記２つの電極は、前記電界の強度を検知する、
ことを特徴とする請求項１ないし４のいずれか１項に記載の検知出力装置。
【請求項６】
前記検知対象は、イオンであり、
前記２つの電極は、付着する前記イオン流の流速密度を検知する、
ことを特徴とする請求項１ないし４のいずれか１項に記載の検知出力装置。
【請求項７】
前記２つの電極は、絶縁膜により覆われ、前記絶縁膜に付着する前記イオン流の流速密度を検知する、
ことを特徴とする請求項６に記載の検知出力装置。
【請求項８】
前記イオンが所定以上に前記２つの電極に付着した場合、前記イオンを除去するリフレッシュ装置が設けられている、
ことを特徴とする請求項６または７のいずれか１項に記載の検知出力装置。
【請求項９】
前記出力手段は、複数の発光素子を備え、前記検知対象に対応して異なる個数の前記発光素子が発光する、
ことを特徴とする請求項１ないし８のいずれか１項に記載の検知出力装置。
【請求項１０】
前記出力手段は、前記検知対象に対応して異なる色相に発光する、
ことを特徴とする請求項１ないし８のいずれか１項に記載の検知出力装置。
【請求項１１】
前記出力手段は、発光素子であり、
前記発光素子は、前記２つの電極の間に配設され、前記２つの電極の面に対して直角の方向に発光する、
ことを特徴とする請求項１ないし８のいずれか１項に記載の検知出力装置。
【請求項１２】
絶縁体で形成され、前記２つの電極よりも外方に張り出した把持部を備えている、
ことを特徴とする請求項１ないし１１のいずれか１項に記載の検知出力装置。
【発明の詳細な説明】
【技術分野】
【０００１】
本発明は、不可視である電界の強度及び方向、イオン流の流速密度及び方向のような物理量を、簡便に精度よく計測して検知し、その検知結果を出力するための、簡便性、速報性、精度、非侵襲性に優れ、不可視な物理量を簡便に把握することが可能な検知出力装置に関する。
【背景技術】
【０００２】
昨今、電界やイオンを利用する技術や機器、電界やイオンの発生を伴う技術や機器が、広範に使用されている。また、大気中には正または負に帯電したイオンが浮遊しており、静電気や雷などの自然現象によって強い電界が発生することもある。ところが、電界やイオンのような不可視な物理量及び化学活性度は、専門家や熟練者であっても、対象の電界やイオンを迅速かつ正確に把握することは容易ではない。技術や機器の利用者などであって、電界やイオンについて専門的な知識を有していない者にとっては、対象の電界やイオンを理解し想像することも困難である。例えば、電界を利用する例として、絶縁された人体に高電圧を与えて人体の周囲に形成された電界による生体刺激作用を利用して治療を行う電位治療装置がある。このような装置を使用する際に、被治療者が自己の周囲に電界が形成されていることを認知することは困難である。また、直流電界は、直流送電や集塵装置の使用等において発生したり、電荷を帯びた液体や粉体を静電気力によって移動する性質を利用した静電塗装で利用したり、衣服の摩擦等により静電気という形で発生したりするが、これを視認することは困難である。さらに、イオンを利用する例として、空気分子をイオン化して静電気を除電する除電器や、消臭器、健康器具等があるが、空間中に放たれたイオンを認識することは困難である。
【０００３】
このように、不可視な物理量の例として電界が形成されていることを認識するための方法として、例えば、電界を検知可能なプローブを用い、金属のプローブが金属製ケーブルを介して検出系に接続される電界測定装置が知られている（例えば、特許文献１参照。）。この電界測定装置は、侵襲性を抑圧するために、電気光学結晶から成るプローブ先端部を光検出系に光ファイバケーブルで接続し、プローブ部の先端部を電界に挿入して、電界検知や測定を行うものである。ここで、侵襲性とは、外的要因によって被計測電界が乱される性質をいうものとする。
【０００４】
また、基準とする点の電位を測定して基準電位とし、任意の測定対象近傍の１点について基準電位との差（電圧）を測定してそれを２点間の距離で割った値を電界とし、その形成された電界を検知して知らせる検電器が知られている（例えば、特許文献２参照。）。この検電器は、電界の有無を判別するものである。
【０００５】
しかしながら、金属プローブは、電界に挿入した場合に被計測電界がプローブやケーブルによって乱されてしまい、高い侵襲性が発現する。そのため、本願発明者は、平板状の電極の間に複数のＬＥＤ等による出力手段を備えた電界検知出力装置を提案した（例えば、特許文献３参照。）。この電界検知出力装置は、電界により電極に電荷が誘起されて電極間に電流が流れると、その電流値を仮想接地型電流検出機により検出し、その電流値に応じて点灯させるＬＥＤの個数を変更させることにより、電界の強度を表示したものである。
【０００６】
その他、直流電界を認識する例として、導電体あるいは絶縁体等の被測定体の表面電位を測定する表面電位測定方法や、空気中のイオンを認識する例として、例えば、気体が流通する流路を設けた大気イオン濃度測定装置が知られている（例えば、特許文献４及び５参照。）。この大気イオン濃度測定装置は、流路内の大気イオンの濃度を測定するための内筒と、電流値検出器と、流路内の風速を検知するための風速センサを備えたものである。
【先行技術文献】
【特許文献】
【０００７】
【特許文献１】特開２０１２−０５３０１７号公報
【特許文献２】特許第４５６２５８７号公報
【特許文献３】ＷＯ２０１５／１１１６５６号公報
【特許文献４】特開平０７−１０４０１９号公報
【特許文献５】特開２０１０−０７１６５２号公報
【発明の概要】
【発明が解決しようとする課題】
【０００８】
ところで、特許文献１に記載の電界測定装置は、侵襲性が低減されるものの、構成が複雑であり、装置が大型化するために携帯が困難であり、簡便性を有していないものである。また、特許文献２に記載の検電器は、電界の有無を判別するものであり、電界を精度よく測定して強度を把握することが出来ないものである。さらに、特許文献３に記載の電界検知出力装置では、静電気のような直流電界を検知対象とする場合、算出された電流値の時間積分値を算出する構成が無いと、電界強度の正確な測定が出来ないことが明らかになった。さらにまた、特許文献４に記載の表面電位測定方法や特許文献５に記載の大気イオン濃度測定装置も、装置が大型化するために簡便性を有していない、という課題があった。
【０００９】
そこで本発明は、電界、特に電界が直流電界である場合や、イオン流の流速密度や方向を、簡便に精度よく計測して出力し、利用者がそれを容易に把握可能とするために、簡便性、速報性、精度、非侵襲性に優れ、空間分解能に優れた検知出力装置を提供することを目的とする。
【課題を解決するための手段】
【００１０】
上記課題を解決するために、請求項１に記載の発明は、空間中の不可視な検知対象を検知し、検知した結果を出力する平板状の検知出力装置であって、略平行に配設された平板状の２つの電極と、前記２つの電極の間に配設され、前記２つの電極によって前記検知対象が検知された際に生じる電流を検出する仮想接地型電流検出器と、前記２つの電極の間に配設され、前記電流に応じた出力を行う出力手段と、前記２つの電極の間に配設され、前記発光装置駆動回路および前記出力手段に電力を供給する電源と、を備え、前記仮想接地型電流検出器は、前記２つの電極の間に生じる電流の時間積分を行う積分回路を備えている、ことを特徴とする。
【００１１】
この発明では、電界によって電極に電荷が誘起されると、２つの電極の間に電流が流れるので、仮想接地型電流検出器がこの電流を検知する。出力手段は、仮想接地型電流検出器が電極電流を検知しそれがある閾値に達していると判別されると出力を行う。また、仮想接地型電流検出器は、２つの電極の間に生じる電流の時間積分を行う積分回路を備えている。
【００１２】
請求項２に記載の発明は、請求項１に記載の検知出力装置において、前記積分回路は、オペアンプ、抵抗、及びコンデンサにより構成されているアナログ積分回路である、ことを特徴とする。
【００１３】
請求項３に記載の発明は、空間中の不可視な検知対象を検知し、検知した結果を出力する平板状の検知出力装置であって、略平行に配設された平板状の２つの電極と、前記２つの電極の間に配設され、前記２つの電極によって前記検知対象が検知された際に生じる電流を検出する仮想接地型電流検出器と、前記２つの電極の間に配設され、前記電流に応じた出力を行う出力手段と、前記２つの電極の間に配設され、前記仮想接地型電流検出器および前記出力手段に電力を供給する電源と、を備え、前記仮想接地型電流検出器は、前記検知対象を検知するための所定の動作により生じる前記検知対象の変化を検出可能である、ことを特徴とする。
【００１４】
請求項４に記載の発明は、請求項１ないし３のいずれか１項に記載の検知出力装置において、前記仮想接地型電流検出器は、前記電流の正負両極性に応答する両極性アンプ及びバイアス回路を備えている、ことを特徴とする。
【００１５】
請求項５に記載の発明は、請求項１ないし４のいずれか１項に記載の検知出力装置において、前記検知対象は、電界であり、前記２つの電極は、前記電界の強度を検知する、ことを特徴とする。
【００１６】
請求項６に記載の発明は、請求項１ないし４のいずれか１項に記載の検知出力装置において、前記検知対象は、イオンであり、前記２つの電極は、付着する前記イオン流の流速密度を検知する、ことを特徴とする。
【００１７】
請求項７に記載の発明は、請求項６に記載の検知出力装置において、前記２つの電極は、絶縁膜により覆われ、前記絶縁膜に付着する前記イオン流の流速密度を検知する、ことを特徴とする。
【００１８】
請求項８に記載の発明は、請求項６または７のいずれか１項に記載の検知出力装置において、前記イオンが所定以上に前記２つの電極に付着した場合、前記イオンを除去するリフレッシュ装置が設けられている、ことを特徴とする。
【００１９】
請求項９に記載の発明は、請求項１ないし８のいずれか１項に記載の検知出力装置において、前記出力手段は、複数の発光素子を備え、前記検知対象に対応して異なる個数の前記発光素子が発光する、ことを特徴とする。
【００２０】
請求項１０に記載の発明は、請求項１ないし８のいずれか１項に記載の検知出力装置において、前記出力手段は、前記検知対象に対応して異なる色相に発光する、ことを特徴とする。
【００２１】
請求項１１に記載の発明は、請求項１ないし８のいずれか１項に記載の検知出力装置において、前記出力手段は、発光素子であり、前記発光素子は、前記２つの電極の間に配設され、前記２つの電極の面に対して直角の方向に発光する、ことを特徴とする。
【００２２】
請求項１２に記載の発明は、請求項１ないし１１のいずれか１項に記載の検知出力装置において、絶縁体で形成され、前記２つの電極よりも外方に張り出した把持部を備えている、ことを特徴とする。
【発明の効果】
【００２３】
請求項１に記載の発明によれば、２つの電極の間に生じる電流の時間積分を行う積分回路を備えているので、例えば、電界の周波数に依存しない感度で電界強度を精度よく計測して出力し、利用者がそれを容易に把握することが可能になる。また、この積分回路を備えた仮想接地型電流検出器が平板状の２つの電極の間に配設されていることにより、簡便性、速報性、精度、非侵襲性に優れ、空間分解能に優れた検知出力装置を提供することが可能になる。
【００２４】
請求項２に記載の発明によれば、オペアンプ、抵抗、及びコンデンサにより構成されているアナログ積分回路を備えているため、直流電界を検知して出力することが可能になる。
【００２５】
請求項３に記載の発明によれば、仮想接地型電流検出器が検知対象を検知するための所定の動作により生じる検知対象の変化を検出可能に構成したので、例えば、検出対象が静電界の場合、検知対象の電界が空間内では流れていないので、所定の動作をゼロ電界位置から位置変化させる動作とすることにより、その強度を検知して出力することが可能になる。また、検知対象がイオンの場合、検知対象のイオンは空間内で流れている場合と浮遊している場合があるので、イオンが空間内で流れている場合には所定の動作を空間内で静置することにより、その強度を検知して出力することが可能になり、イオンが空間内で浮遊している場合には所定の動作を位置変化させる動作とすることにより、その強度を検知して出力することが可能になる。さらに、この仮想接地型電流検出器が平板状の２つの電極の間に配設されていることにより、簡便性、速報性、精度、非侵襲性に優れ、空間分解能に優れた検知出力装置を提供することが可能になる。
【００２６】
請求項４に記載の発明によれば、仮想接地型電流検出器が電流の正負両極性に応答する両極性アンプ及びバイアス回路を備えているため、電界の極性を判定することが可能になる。
【００２７】
請求項５に記載の発明によれば、検知対象は電界であり、２つの電極に電荷が誘起され、これにより生じる電流の電流値から電界を検知するため、本発明の検知出力装置を電界検知出力装置に適用することが可能になる。
【００２８】
請求項６に記載の発明によれば、検知対象はイオンであり、２つの電極はその電極に付着するイオン流の流速密度を検知するため、本発明の検知出力装置をイオン検知出力装置に適用することが可能になる。
【００２９】
請求項７に記載の発明によれば、２つの電極は絶縁膜により覆われ、絶縁膜に付着する前記イオン流の流速密度を検知するので、イオンが絶縁膜に付着することで装置内部に異なる極性の電荷が帯電するので、非侵襲性に優れた検知出力装置を提供することが可能になる。
【００３０】
請求項８に記載の発明によれば、イオンが所定以上に２つないし一方の電極に付着した場合、イオンを除去するリフレッシュ装置を備えたことにより、イオンによるチャージアップをリセットすることが可能になる。これにより、イオン流束が大きい場合にイオンの蓄積量が過剰になり、後続イオン流に影響を与えたり検出回路が飽和するのを防止し、イオン流の流速密度を安定的に計測することができる。
【００３１】
請求項９に記載の発明によれば、出力手段は複数の発光素子を備え、検知対象に対応して異なる個数の発光素子が発光するので、速報性及び精度に優れた検知出力装置を実現することが可能になる。
【００３２】
請求項１０に記載の発明によれば、出力手段は検知対象に対応して異なる色相に発光するので、速報性及び精度に優れた検知出力装置を実現することが可能になる。
【００３３】
請求項１１に記載の発明によれば、出力手段を発光素子により構成し、発光素子が２つの電極の間に配設されて電極の面に対して直角の方向に発光するように構成したので、電極の表面側から発光しているのを認識することが可能になるので、検知出力装置の視認性を向上させることが可能になる。
【００３４】
請求項１２に記載の発明によれば、絶縁体で形成されて２つの電極よりも外方に張り出した把持部を備えているので、検出対象を検出する空間に対して直接測定者の手等を挿入することがないので、非侵襲性に優れた電界検知出力装置を実現することが可能になる。
【図面の簡単な説明】
【００３５】
【図１】この発明の実施の形態１に係る検知出力装置１の概略を示す図であり、検知出力装置１の外観を示す斜視図（ａ）、及び検知出力装置１の機能を示すブロック構成図（ｂ）である。
【図２】図１の仮想接地型電流検出器３として両極性アンプ及びバイアス回路を備えている例を示す回路図である。
【図３】図１の仮想接地型電流検出器３及び積分部４として回路３Ａを備えている例を示す回路図である。
【図４】図１の積分部４として積分部４Ａを備えている例を示す回路図である。
【図５】図１の積分部４として積分部４Ｂを備えている例を示す回路図である。
【図６】図１の検知出力装置１を電界方向に対して垂直方向に挿入した状態を示す概略図である。
【図７】この発明の実施の形態２に係る検知出力装置１Ａをイオン流２０１に挿入した例を示す概略図である。
【図８】図７の検知出力装置１Ａの機能を示すブロック構成図である。
【図９】図７の検知出力装置１Ａに付着されているイオンを除電パッド３００を用いて除電している例を示す概略図である。
【図１０】図７の検知出力装置１Ａを用いてイオンを検出する例を示す概略図であり、検知出力装置１Ａを用いて流れているイオンＩを検出する例を示す概略図（ａ）、及び検知出力装置１Ａを用いて静止しているイオンＩを検出する例を示す概略図（ｂ）である。
【図１１】この発明の実施の形態３に係る検知出力装置１Ｂの概略を示す図であり、検知出力装置１Ｂの外観を示す斜視図（ａ）、及び検知出力装置１Ｂの内部構造を示す断面図（ｂ）である。
【発明を実施するための形態】
【００３６】
以下、この発明を図示の実施の形態に基づいて説明する。
【００３７】
（実施の形態１）
図１ないし図６は、この発明の実施の形態１を示しており、図１は、検知出力装置１の外観を示す斜視図（ａ）、及び検知出力装置１の機能を示すブロック構成図（ｂ）である。また、図２は、図１の仮想接地型電流検出器３として両極性アンプ及びバイアス回路を備えている例を示す回路図である。この発明の実施の形態１に係る検知出力装置１は、所定の空間内に挿入されることによって、この空間内に存在している検知対象の数値、または強度、及び方向、または流れを、発光する発光素子の数により表示するための装置であり、例えば、検知対象として直流電界の強度を発光素子の発光により表示させ、この装置を空間中で走査することで電界の分布を把握し、空間内で回転走査することで電界の方向を把握するための装置である。なお、ここで直流電界とは、常に一定の電流値を示す場合に限らず、周波数が小さい交流電界を４分の１周期以内の時間で電界強度を測定する場合のように、電流の極性に変化が無く、略電流値にも変化が無いような場合や、直流のスイッチをオンにした直後の状態遷移過程における電界の変化のように、ゼロから一定値に漸近する場合も含む概念である。
【００３８】
この検知出力装置１は、図１（ａ）に示すように、主として、電極２と、ＬＥＤ（出力手段・発光素子）５とを備え、把持部８が取り付けられている。また、検知出力装置１の機能ブロック構成は、例えば、図１（ｂ）に示すように、電極２と、仮想接地型電流検出器３と、積分部（積分回路）４と、ＬＥＤ５と、電池（電源）６と、短絡スイッチ７とから構成され、仮想接地型電流検出器３、積分部４、ＬＥＤ５、電池６、及び短絡スイッチ７が２つの電極２の間に収納可能に形成されている。
【００３９】
電極２は、図１（ａ）に示すように、対向して略平行に配設された２枚の略長方形の平板電極であり、上部電極２ａと、下部電極２ｂとから構成されており、電極間隔ｄ、電極面積ｓに設定されて形成されている。この上部電極２ａ及び下部電極２ｂの大きさ（電極間隔ｄ、電極面積ｓ）及び形状は、検知対象の空間等の制約に応じて設定され、その大きさ及び形状に応じて仮想接地型電流検出器３と、積分部４と、ＬＥＤ５と、電池（電源）６と、短絡スイッチ７を収容可能になるように選択して決定している。具体的には、電極間隔ｄは、例えば、数ｍｍ以下に設定されており、電極面積ｓは、例えば、名刺サイズ程度の大きさになるように、約５０ｃｍ２以下に設定されている。
【００４０】
仮想接地型電流検出器３は、図１（ｂ）に示すように、上部電極２ａ及び下部電極２ｂに電荷が誘起された際に生じる電流を検出するものであり、上部電極２ａ及び下部電極２ｂに信号線によって接続され、電流を検出する検出器を備えるように構成されている。この仮想接地型電流検出器３は、例えば図２に示すように、仮想接地特性を有するオペアンプ（オペレーショナル・アンプリファイア、Ｏｐｅｒａｔｉｏｎａｌ  Ａｍｐｌｉｆｉｅｒ）３１と、抵抗３２，３３，３４とを備え、オペアンプ３１の反転入力（−）の入力端子には上部電極２ａが、非反転入力（＋）の入力端子には下部電極２ｂが、オペアンプ３１の出力端子には積分部４がそれぞれ接続され、正電源電圧Ｖｃｃ及び負電源電圧−Ｖｃｃにより稼働されている。また、オペアンプ３１は、仮想接地特性を備え、非反転入力（＋）と反転入力（−）の入力端子の電圧が常に等しい、すなわち、同電位となる。つまり、仮想接地型電流検出器３の入力端子（非反転入力（＋）と反転入力（−））には、上部電極２ａ及び下部電極２ｂに接続された導線が接続されているので、上部電極２ａと下部電極２ｂとの間には電位差を生じない。また、このオペアンプ３１は、電界の極性を判別する両極性アンプにより構成されている。抵抗３３，３４は、バイアス回路を構成している。
【００４１】
仮想接地型電流検出器３の入力端子には、導線により上部電極２ａ及び下部電極２ｂに接続されているため、検知出力装置１を電界内に静置すると、上部電極２ａと下部電極２ｂとにはそれぞれ異なる極性の電荷が誘起され、その際に生じる電流を検出するようになっている。このとき、仮想接地型電流検出器３の仮想接地特性により、上部電極２ａと下部電極２ｂとの間には電位差を生じないので、検知出力装置１は厚さｄの金属板として動作しているとみなすことが出来る。
【００４２】
積分部４は、仮想接地型電流検出器３によって検出された電流値を時間積分するための装置であり、この積分部４は、測定する電界が直流である場合は、電流値を以下の式によって算出する。ここで、Ｉは電流値、ｔは時間、εは誘電率、ｓは電極面積、Ｅ（ｔ）は電界強度である。すなわち、算出された電流値Ｉの時間積分値と、電界強度Ｅ（ｔ）は比例する。
【数１】
2018115882.tif 000003
【００４３】
ここで、仮想接地型電流検出器３におけるその他の回路構成の例について説明する。図３は、図１の仮想接地型電流検出器３及び積分部４として回路３Ａを備えている例を示す回路図である。この回路３Ａは、仮想接地特性を有するオペアンプ３１と、抵抗３３，３４と、コンデンサ３５とを備え、オペアンプ３１の反転入力（−）の入力端子には上部電極２ａが、非反転入力（＋）の入力端子には下部電極２ｂが、オペアンプ３１の出力端子にはＬＥＤ５がそれぞれ接続され、正電源電圧Ｖｃｃ及び負電源電圧−Ｖｃｃにより稼働されている。オペアンプ３１及び抵抗３３，３４は、図２に示すオペアンプ３１及び抵抗３３，３４と同様であり、オペアンプ３１とコンデンサ３５とにより積分器を構成している。このような回路構成であっても、仮想接地型電流検出器３及び積分部４と同様の効果が得られる。
【００４４】
図４は、図１の積分部４として積分器４Ａを備えている例を示す回路図である。この回路４Ａは、オペアンプ４１と、コンデンサ４２と、抵抗４３，４４，４５とを備え、アナログ積分回路を構成している。このオペアンプ４１の反転入力（−）の入力端子には抵抗４３を介して仮想接地型電流検出器３が、非反転入力（＋）の入力端子には抵抗４４，４５を介して正電源電圧Ｖｃｃ及び負電源電圧−Ｖｃｃが、オペアンプ４１の出力端子にはＬＥＤ５がそれぞれ接続され、正電源電圧Ｖｃｃ及び負電源電圧−Ｖｃｃにより稼働されている。このような回路構成であっても、積分部４と同様の効果が得られる。
【００４５】
図５は、図１の積分部４として積分器４Ｂを備えている例を示す回路図である。この回路４Ｂは、ＭＰＵ（Ｍｉｃｒｏ  Ｐｒｏｃｅｓｓｉｎｇ  Ｕｎｉｔ）４６を備えている。ＭＰＵ４６は、図４に示すような回路構成を集積回路にて実装したものである。このような回路構成であっても、積分部４と同様の効果が得られる。
【００４６】
ＬＥＤ５は、仮想接地型電流検出器３によって検出されて積分部４によって算出された電流値に応じた出力（例えば、発光）を行う装置であり、例えば、ＬＥＤ５ａ，５ｂ，５ｃ，５ｄにより構成されている。このＬＥＤ５ａ，５ｂ，５ｃ，５ｄは、例えば、仮想接地型電流検出器３によって検出されて積分部４によって算出された電流値がゼロ〜所定値の場合、ＬＥＤ５ａ，５ｂ，５ｃ，５ｄは発光せず、仮想接地型電流検出器３によって検出された電流値が所定値より大きい場合、電流値の大きさ、すなわち、電界強度に応じて、ＬＥＤ５ａのみが発光、ＬＥＤ５ａ，５ｂが発光、ＬＥＤ５ａ，５ｂ，５ｃが発光、ＬＥＤ５ａ，５ｂ，５ｃ，５ｄが発光、というように、発光するＬＥＤの個数が変化するようになっている。
【００４７】
電池６は、図１（ｂ）に示すように、仮想接地型電流検出器３、積分部４、及びＬＥＤ５に電力を供給するものであり、例えば、コイン型電池で構成されている。
【００４８】
短絡スイッチ７は、上部電極２ａと、下部電極２ｂとの間を短絡させるためのスイッチである。この短絡スイッチ７は、閉じることでノイズ等により発生した電荷蓄積のオフセットをリセットすることが可能であり、開くことでゼロ電界レベルでの検知を可能にするために使用される装置である。この短絡スイッチ７を開いてゼロ電界レベルでの検知を開始した状態で、検知出力装置１を直流電界内に静置すると、徐々に増加する直流電界値に応じて蓄積電荷も増加し、それに応じた電流も検出され、その積分値が電界値を示す。そして、電界のない場所まで検知出力装置１を移動させると、蓄積電荷も相殺される。このとき、上部電極２ａ及び下部電極２ｂには電荷の蓄積や電荷の偏りはないはずであるが、ノイズ等により電荷の蓄積や電荷の偏りが生じる可能性があり、次の計測に影響を及ぼすことがある。このような電荷の蓄積や電荷の偏りをリセットするために、短絡スイッチ７が設けられている。
【００４９】
把持部８は、操作者が検知出力装置１を動かすための棒状部材である。この把持部８は、上部電極２ａ及び下部電極２ｂよりも外方に張り出すように形成されているが、上部電極２ａ及び下部電極２ｂから十分に離れて張り出すように形成されていることが望ましい。
【００５０】
次に、この検知出力装置１の使用方法及び作用について説明する。
【００５１】
図６は、図１の検知出力装置１を、電界電極１００ａ，１００ｂによって形成される直流電界の電界方向に対して垂直方向に挿入した状態を示す概略図である。ここで、電界電極１００ａ，１００ｂは、それぞれ平板で構成されており、２枚の電界電極１００ａ，１００ｂが所定角度を成すように配設されている。ここで、距離Ｌは、計測対象の電界が一定値と見なされ得る長さを示しており、電極間隔ｄはこの距離Ｌに対して十分小さくなるように設定されている。また、面積Ｓは、計測対象の電界が一定値と見なされ得る面積を示しており、電極面積ｓはこの面積Ｓに対して十分小さくなるように設定されている。さらに、電界電極１００ａと１００ｂとの間の矢印Ｘは、電気力線であり、電界がこの方向に生じていることを示している。
【００５２】
利用者が電界方向をすでに把握している場合、利用者は、図６に示すように、電界電極１００ａ，１００ｂによって形成される電界内に検知出力装置１を電界方向に対して垂直方向に挿入して静置する。このとき、上部電極２ａ及び下部電極２ｂに電荷が誘起され、この誘起された電荷が変化した時に生じる電流が、仮想接地型電流検出器３によって検出され、積分部４により時間積分されて電流値が算出される。この仮想接地型電流検出器３によって検出されて積分部４により算出された電流値に基づいて、ＬＥＤ５ａのみが発光、ＬＥＤ５ａ，５ｂが発光、ＬＥＤ５ａ，５ｂ，５ｃが発光、またはＬＥＤ５ａ，５ｂ，５ｃ，５ｄが発光、のように段階的に発光するので、利用者は、このときに発光しているＬＥＤの個数により電界強度を把握できる。
【００５３】
また、利用者が電界方向を把握していない場合、利用者が電界電極１００ａ，１００ｂによって形成される電界内に検知出力装置１を電界方向に対して斜め方向に挿入して静置すると、上部電極２ａ及び下部電極２ｂに電荷が誘起され、この誘起された電荷が変化した時に生じる電流が、仮想接地型電流検出器３によって検出されるが、電界検知出力装置１を図６に示す向きとした場合と比較すると電荷が減少するのに応じて逆方向電流が発生するので、この電流値を積分部４によって時間積分することにより、電流値が算出される。例えば、電界検知出力装置１を図６に示す向きに挿入した場合に、ＬＥＤ５ａ，５ｂ，５ｃ，５ｄの両方が発光していたとすると、電界検知出力装置１を斜め方向に挿入した場合、例えば、ＬＥＤ５ａのみが発光、ＬＥＤ５ａ，５ｂが発光、またはＬＥＤ５ａ，５ｂ，５ｃが発光する。そのため、利用者は、このときに発光しているＬＥＤの個数により、電界強度が弱いことを把握できる。また、その場で電界検知出力装置１を動かすことにより、ＬＥＤ５ａ，５ｂ，５ｃ，５ｄの発光している個数が変化するので、その変化により電界方向を把握できる。
【００５４】
さらに、例えば、利用者が電界電極１００ａ，１００ｂによって形成される電界内に検知出力装置１を電界方向に対して平行方向に挿入して静置すると、上部電極２ａ及び下部電極２ｂの静置方向が電界方向と一致するので電荷が誘起されないため、電荷が変化することはなく、この電流値を積分部４によって時間積分することにより電流値が算出されるが、電流値が０の場合にその値を時間積分しても０であるため、電流は検出されない。そのため、ＬＥＤ５ａ，５ｂ，５ｃ，５ｄは無発光状態のままとなる。そのため、利用者は、ＬＥＤ５ａ，５ｂ，５ｃ，５ｄの無発光状態により、電界方向が上部電極２ａ及び下部電極２ｂの静置方向と一致することを把握できる。これにより、電界を検知して発光した状態を光学映像に重ねて一画面上の図として表示、記録をする可視化装置として使用することも可能となる。
【００５５】
以上のように、この検知出力装置１によれば、電界内に電界検知出力装置１が挿入されると、上部電極２ａ及び下部電極２ｂに電荷が誘起され、これにより発生する電流が仮想接地型電流検出器３によって検出されると、ＬＥＤ５ａ，５ｂ，５ｃ，５ｄが電界の電界強度に基づいてこの中のいずれか又は全てが発光するので、その発光している個数により、電界強度を容易に把握することができる。そのため、電極の辺の長さと、２つの電極の間の距離とのアスペクト比を保ちながら電界検知出力装置１の装置全体を小型化することで、電界内での装置による非侵襲性が維持されることにより、従来の電界検知出力装置と比較して分解能が向上するので、簡便性、速報性、精度、非侵襲性に優れた電界検知出力装置を実現することが可能になる。
【００５６】
また、積分部４を備えたことにより、電荷の増減に応じて検出された電流値が時間積分されて電界が検出されるので、検出対象が直流電界であっても、この検知出力装置１を使用することが可能になる。さらに、仮想接地型電流検出器３が正負両極性に応答するオペアンプ３１を備えたことにより、検知出力装置１を回転走査させることで電界の極性を判定することが可能になる。
【００５７】
また、把持部８を備えたことにより、電界を乱すのを防止するので、非侵襲性に優れた電界検知出力装置を実現することが可能になる。
【００５８】
（実施の形態２）
図７は、この発明の実施の形態２に係る検知出力装置１Ａをイオン流２０１に挿入した例を示す概略図である。図８は、図７の検知出力装置１Ａの機能を示すブロック構成図である。また、図９は、図７の検知出力装置１Ａに付着されているイオンを除電パッド３００を用いて除電している例を示す概略図である。この検知出力装置１Ａは、図７に示すように、イオン源２００からイオンＩが矢印方向に放出されて生成されたイオン流２０１内に挿入されてイオンＩの流速密度を検知するための装置である。この検知出力装置１Ａは、図８に示すように、実施の形態１に係る検知出力装置１の積分部４を備えていない点、及び電極２が絶縁膜に覆われている点において、実施の形態１に係る検知出力装置１と異なる。電極２が絶縁膜に覆われているのは、化学活性度の高いイオンＩが金属電極に直接付着することで電極が腐食すること等を防止するためである。
【００５９】
また、この検知出力装置１Ａには、図９に示すように、検知出力装置１Ａに付着されているイオンＩを除電する除電パッド（リフレッシュ装置）３００が設けられており、検知出力装置１Ａの上部電極２ａ及び下部電極２ｂを接触させて使用される。この除電パッド３００は、検知出力装置１Ａの上部電極２ａ及び下部電極２ｂに付着されているイオンＩのイオン流束が大きいとイオンＩの蓄積量が過剰になり、後続イオン流に影響を与えたり検出回路の飽和をもたらす可能性があり、これを防止するために設けられている。その他の構成については、実施の形態１に係る電界検知出力装置１と同様である。
【００６０】
次に、この検知出力装置１Ａの使用方法及び作用について説明する。
【００６１】
図１０は、図７の検知出力装置１Ａを用いてイオンを検出する例を示す概略図であり、検知出力装置１Ａを用いて流れているイオンＩを検出する例を示す概略図（ａ）、及び検知出力装置１Ａを用いて静止しているイオンＩを検出する例を示す概略図（ｂ）である。ここで、図７に示すイオン流２０１では、イオンＩが所定の方向に流れている場合と、一定の空間に浮遊している場合があるので、それぞれの場合について説明する。
【００６２】
図１０（ａ）に示すように、矢印Ｙに示すような所定の方向にイオンＩが流れている場合、検知出力装置１Ａをイオン流２０１に静置（所定の動作）することにより、イオンＩが電極２に付着することになる。すると、上部電極２ａ及び下部電極２ｂに電荷が誘起されて電流が発生し、仮想接地型電流検出器３によって検出される。この仮想接地型電流検出器３によって検出された電流値に基づいて、ＬＥＤ５ａ，５ｂ，５ｃ，５ｄの一部またはすべてが発光する。これにより、利用者は、このときに発光しているＬＥＤの個数によりイオン流の流速密度を把握できる。
【００６３】
また、図１０（ｂ）に示すように、イオンＩが浮遊している場合、検知出力装置１Ａをイオン流２０１内で矢印Ｚ方向に移動（所定の動作）することにより、イオンＩが電極２に付着することになる。すると、上部電極２ａ及び下部電極２ｂに電荷が誘起されて電流が発生し、仮想接地型電流検出器３によって検出される。この仮想接地型電流検出器３によって検出された電流値に基づいて、ＬＥＤ５ａ，５ｂ，５ｃ，５ｄの一部またはすべてが発光する。これにより、利用者は、このときに発光しているＬＥＤの個数によりイオン流の流速密度を把握できる。
【００６４】
以上のように、この電界検知出力装置１Ａによれば、電極２が絶縁膜により覆われ、イオン流２０１に静置したり、イオン流２０１内で矢印Ｚ方向に移動したりするような所定の動作を行うことで、イオンを検知することが可能になる。また、除電パッド３００を設けたことにより、イオンによるチャージアップをリセットすることが可能になる。これにより、イオン流束が大きい場合にイオンの蓄積量が過剰になり、後続イオン流に影響を与えたり検出回路が飽和するのを防止し、イオン流の流速密度を安定的に計測することができる。
【００６５】
（実施の形態３）
図１１は、この発明の実施の形態３に係る検知出力装置１Ｂの概略を示す図であり、検知出力装置１Ｂの外観を示す斜視図（ａ）、及び検知出力装置１Ｂの内部構造を示す断面図（ｂ）である。この検知出力装置１Ｂは、実施の形態１に係る検知出力装置１と同様に、所定の空間内に挿入されることによって、この空間内に存在している検知対象（例えば、直流電界）の強度を発光素子の発光色または光の強度により表示させ、この装置を空間中で走査することで電界の分布を把握し、空間内で回転走査することで電界の方向を把握するための装置である。検知出力装置１Ｂは、図１１に示すように、実施の形態１に係る検知出力装置１の上部電極２ａ及び下部電極２ｂに替えて、上部電極２Ｂａ及び下部電極２Ｂｂを備えている点、ＬＥＤ５ａ，５ｂ，５ｃ，５ｄに替えてＬＥＤ５Ｂを備え、仮想接地型電流検出器３、積分部４、ＬＥＤ５Ｂ、電池６、及び短絡スイッチ７を構成する回路部１０を備えている点、及び光導波拡散部８を備えている点において、実施の形態１に係る検知出力装置１と異なる。なお、仮想接地型電流検出器３、積分部４、電池６、及び短絡スイッチ７の図示は省略する。
【００６６】
上部電極２Ｂａ及び下部電極２Ｂｂは、対向して略平行に配設された２枚の平板電極であり、例えば、略円形に形成されている。この上部電極２Ｂａ及び下部電極２Ｂｂの電極間隔及び電極面積は、上部電極２ａ及び下部電極２ｂと同様に、検知対象の空間等の制約に応じて設定されている。また、上部電極２Ｂａの略中央箇所には、図１１（ｂ）に示すように、略円形の貫通孔が設けられている。
【００６７】
ＬＥＤ５Ｂは、仮想接地型電流検出器３によって検出された電流値に応じた発光を行う発光素子であり、例えば、仮想接地型電流検出器３によって検出された電流値に応じて発光色を変化させるＲＧＢ型の発光素子、または電流値に応じて発光強度を変化させる単色の発光素子である。このＬＥＤ５Ｂは、回路部１０に埋め込まれて配設され、発光する光が光導波拡散部８を経由して上部電極２Ｂａの上面側の方向（上部電極２Ｂａ及び下部電極２ｂの表面に対して直角の方向）に発光するように設けられている。
【００６８】
光導波拡散部８は、ＬＥＤ５Ｂが発光する光を上部電極２Ｂａの上面側の方向に拡散する装置であり、例えば、導光板等により構成されている。この光導波拡散部８は、上部電極２Ｂａの貫通孔に嵌合されるように上部電極２Ｂａと下部電極２Ｂｂとの間に配設されている。
【００６９】
回路部１０は、仮想接地型電流検出器３、積分部４、ＬＥＤ５Ｂ、電池６、及び短絡スイッチ７を構成する平板状の基板であり、上部電極２Ｂａと下部電極２Ｂｂとの間に配設されるように輪状に形成されている。
【００７０】
この検知出力装置１Ｂの使用方法は、実施の形態１に係る検知出力装置１と同様である。検知出力装置１Ｂによれば、上部電極２Ｂａに貫通孔が設けられ、ＬＥＤ５Ｂが上部電極２Ｂａと下部電極２Ｂｂとの間に配設され、貫通孔の方向に発光するように設けられているので、上部電極２Ｂａ側から発光しているのを認識することが可能になるので、検知出力装置１Ｂの視認性を向上させることが可能になる。また、光導波拡散部８が上部電極２Ｂａの貫通孔に嵌合されるように上部電極２Ｂａと下部電極２Ｂｂとの間に配設されているので、ＬＥＤ５Ｂの光が拡散することにより、検知出力装置１Ｂの視認性をさらに向上させることが可能になる。なお、本実施の形態では、上部電極２Ｂａに貫通孔を設けたが、下部電極２Ｂｂに貫通孔を設けて光導波拡散部８を露出させ、ＬＥＤ５Ｂが発光する光を下部電極２Ｂｂの下面側の方向に拡散させても良く、さらに、上部電極２Ｂａ及び下部電極２Ｂｂの両方に貫通孔を設けて光導波拡散部８の上下両方の端面を露出させ、ＬＥＤ５Ｂが発光する光を上部電極２Ｂａの上面側及び下部電極２Ｂｂの下面側の両方向に拡散させても良い。
【００７１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、検知出力装置１の検知対象は電界とし、検知出力装置１Ａの検知対象はイオンとしたが、検知対象は電界またはイオンに限られず、電界や磁界、不可視光、音場、放射線、環境物質等の数値または強度、及び方向のような他の物理量及び化学活性度を検知対象とすることが可能である。これは、上部電極２ａ及び下部電極２ｂを検知対象に適したセンサ等に置き換えることにより、他の物理量及び化学活性度を検知対象とすることが可能である。
【００７２】
また、検知出力装置１，１Ａでは、出力手段として４つのＬＥＤ５ａ，５ｂ，５ｃ，５ｄを備える構成としたが、２つ、３つ、または５つ以上のＬＥＤを設けても良く、また、発光色が変化可能なＲＧＢ型の発光素子で構成し、電界強度に応じて発光するときの色相を変化させるように構成しても良い。さらに、このような構成に限られず、例えば、電波を介して外部装置に出力させるような構成にしても良い。また、検知出力装置１Ｂでは、上部電極２Ｂａ及び下部電極２Ｂｂを略円形に形成したが、この形状に限られず、上部電極２Ｂａに設けられた貫通孔も、上部電極２Ｂａの略中央箇所に限られず、さらに略円形にも限られない。
【００７３】
さらに、複数の検知出力装置１，１Ａをアレイ状に配設し、同時に複数の検知出力装置１，１Ａによる検知を行っても良い。同時に複数箇所におけるＬＥＤの輝度が観察可能であることにより、検知出力装置１，１Ａが配設されたそれぞれの箇所の電界またはイオン流の流速密度が一目で判別可能であるとともに、本願発明の検知出力装置１，１Ａを使用することで、従来と比べ単位面積当たりに配置可能な表示装置の数が増えることから、より狭い間隔での判別が可能となる。
【産業上の利用可能性】
【００７４】
以上のように、この発明に係る検知出力装置は、例えば、絶縁された人体に高電圧を与え、人体の周囲に形成された電界による生体刺激作用を利用して治療を行う電位治療装置等の電界を生じさせる装置や、電気製品の部品やユニット周辺の電界を検知するための装置、生産ラインにおける静電気の帯電を検知するための装置、医療機器における電界を検知するための装置、学校教育や博物館等で電気を学ぶための教材や設備が発する電界を検知するための装置において、電界が形成されていることを認知するための装置として有用である。また、電荷を帯びた液体や粉体を静電気力によって移動する性質を利用した静電塗装では、印加静電気の分布が視認できることにより、液体や粉体に静電界が効果を及ぼす様子を把握することが可能になるため、有用である。
【符号の説明】
【００７５】
１                                  検知出力装置
２，２Ｂ                            電極
２ａ，２Ｂａ                        上部電極
２ｂ，２Ｂｂ                        下部電極
３                                  仮想接地型電流検出器
４                                  積分部（積分回路）
５，５ａ，５ｂ，５ｃ，５ｄ，５Ｂ    ＬＥＤ（出力手段・発光素子）
６                                  電池（電源）
７                                  短絡スイッチ
８                                  光導波拡散部
１０                                回路基板
３１                                オペアンプ
３２，３３，３４                    抵抗
３５                                コンデンサ
４１                                オペアンプ
４２                                コンデンサ
４３，４４，４５                    抵抗
４６                                ＭＰＵ
１００ａ，１００ｂ                  電界電極
２００                              イオン源
２０１                              イオン流
３００                              除電パッド（リフレッシュ装置）
Ｉ                                  イオン
【図１】
2018115882.tif 000004
【図２】
2018115882.tif 000005
【図３】
2018115882.tif 000006
【図４】
2018115882.tif 000007
【図５】
2018115882.tif 000008
【図６】
2018115882.tif 000009
【図７】
2018115882.tif 000010
【図８】
2018115882.tif 000011
【図９】
2018115882.tif 000012
【図１０】
2018115882.tif 000013
【図１１】
2018115882.tif 000014